(57)【要約】【課題】動力でローラーの回転を駆動することができるのみならず、曲がる時の転倒の可能性を低減することができる動力付きスケートボードを提供する。【解決手段】上下２面を有する長尺状のボード本体と、前記ボード本体の下面の前端部に回転自在に軸支されている第１のローラーと、直径が前記第１のローラーの直径より小であって前記ボード本体の下面の後端部のほぼ中央に回転自在に軸支されている第２のローラーと、直径が前記第１のローラーの直径とほぼ同じであって左右に対を成して前記第１のローラーと前記第２のローラーとの間に回転自在に軸支されている第３及び第４のローラーとを備えているローラーユニットと、前記ボード本体の下面に設けられていて、前記第３及び第４のローラーの回転を駆動する動力ユニットと、前記ボード本体の上面に設けられ、且つ前記動力ユニットと電気的に接続しており、作動されると、前記動力ユニットを介して前記第３及び第４のローラーの少なくとも一つを回転させる制御ユニットとを備えてなる。【選択図】      図２
2005013357.tif 000002
【特許請求の範囲】
【請求項１】
上下２面を有する長尺状のボード本体と、
前記ボード本体の下面の前端部に回転自在に軸支されている第１のローラーと、
直径が前記第１のローラーの直径より小であって前記ボード本体の下面の後端部のほぼ中央に回転自在に軸支されている第２のローラーと、直径が前記第１のローラーの直径とほぼ同じであって左右に対を成して前記第１のローラーと前記第２のローラーとの間に回転自在に軸支されている第３及び第４のローラーとを備えているローラーユニットと、
前記ボード本体の下面に設けられていて、前記第３及び第４のローラーの回転を駆動する動力ユニットと、
前記ボード本体の上面に設けられ、且つ前記動力ユニットと電気的に接続しており、作動されると、前記動力ユニットを介して前記第３及び第４のローラーの少なくとも一つを回転させる制御ユニットとを備えてなることを特徴とする動力付きスケートボード。
【請求項２】
前記第１のローラーは、一つのローラーあり、前記ボード本体の下面の前端部のほぼ中央に軸支され、
前記第１のローラー、前記第３のローラー及び第４のローラーのいずれも、前記ボード本体の長尺方向の左右へ回動できないように軸支されており、
前記第２のローラーは、前記ボード本体の長尺方向の左右へも制限なく回動可能に軸支されている回転部材を介して前記ボード本体の下面に軸支されていることを特徴とする請求項１に記載の動力付きスケートボード。
【請求項３】
前記動力ユニットは、一対のモーターと、前記一対のモーターの動力をそれぞれ前記第３及び第４のローラーのいずれかに伝える伝動装置と、前記一対のモーターに電力を供給するバッテリーとを有し、
前記制御ユニットは、前記一対のモーターと前記バッテリーとの間と電気的に接続しており、作動されると、前記バッテリーを前記一対のモーターの少なくとも一つへ電力を供給させて当該モーターを始動し、前記第３及び第４のローラーの当該始動されたモーターと対応するローラーを駆動して回転させることができるように構成されていることを特徴とする請求項１または２に記載の動力付きスケートボード。
【請求項４】
前記伝動装置は、それぞれ前記各モーターの回転軸に固定されている一対の第１のギアと、それぞれ前記第３及び第４のローラー中の一つに固定されて前記一対の第１のギアと噛み合っている一対の第２のギアとからなっていることを特徴とする請求項３に記載の動力付きスケートボード。
【請求項５】
前記制御ユニットは、前記ボード本体の上面の前端部の一側に設けられており、
作動されると、前記第３及び第４のローラーを同時に回転させる第１のスイッチと、
作動されると、前記第３のローラーのみを回転させる第２のスイッチと、
作動されると、前記第４のローラーのみを回転させる第３のスイッチとを備えていることを特徴とする請求項１に記載の動力付きスケートボード。
【発明の詳細な説明】
【０００１】
【発明の属する技術分野】
本発明は、スケートボードに関し、特に動力付きスケートボードに関する。
【０００２】
【従来の技術】
従来のスケートボードは、長尺状のボード本体の下面の前後２端部にそれぞれ一対のローラーが回転自在に軸支されてなる。片足で前記ボード本体上に乗り、他の足で地面をけってパワーを生じることにより、スケートボードを移動させることができる。
【０００３】
【発明が解決しようとする課題】
このようなスケートボードは、坂を下る時以外に、平地にも、坂を上る時にも、移動するために片足で地面をけらなければならないので、足や腰への負担が大きく、長時間に使用することができない。
【０００４】
また、左または右へ曲がる時、体の重心を左右の一方に少々偏って方向を調整することで済む場合もあるが、地面を蹴る足をスケートボードの後端近くに乗せ、体の重心を後方に移してスケートボードの前端部を少々上げ、その瞬間、体や足の捻じれ力によって方向を急変化させる必要がある場合もある。この時、前端部の一対のローラーが着地せず、後端部の一対のローラーのみにより使用者及びスケートボード全体の重さを支持するため、重心がよく取れず、スケートボード全体があまりにも傾き、後端までも着地して急ブレーキするので、転倒してしまう事例が多々ある。
【０００５】
上記問題に鑑みて、本発明者は、動力でローラーの回転を駆動することができるのみならず、曲がる時の転倒の可能性を低減することができる動力付きスケートボードを提供することを課題とする。
【０００６】
【課題を解決するための手段】
上記課題を解決するために、発明者は、スケートボードへの動力付与及びローラーの配置に鋭意研究したところ、上下２面を有する長尺状のボード本体と、前記ボード本体の下面の前端部に回転自在に軸支されている第１のローラーと、直径が前記第１のローラーの直径より小であって前記ボード本体の下面の後端部のほぼ中央に回転自在に軸支されている第２のローラーと、直径が前記第１のローラーの直径とほぼ同じであって左右に対を成して前記第１のローラーと前記第２のローラーとの間に回転自在に軸支されている第３及び第４のローラーとを備えているローラーユニットと、前記ボード本体の下面に設けられていて、前記第３及び第４のローラーの回転を駆動する動力ユニットと、前記ボード本体の上面に設けられ、且つ前記動力ユニットと電気的に接続しており、作動されると、前記動力ユニットを介して前記第３及び第４のローラーの少なくとも一つを回転させる制御ユニットとを備えてなることを特徴とする動力付きスケートボードを提供する。
【０００７】
それにより、スケートボードをまっすぐ移動させようとする場合、従来のように片足でボード上に乗り、他の足で地面をけって走らせることはもちろん、両足ともボード上に置く姿勢で、ボードの進行具合をみて片足で前記制御ユニットを作動させ、前記第３及び第４のローラーを同時に回転させることによっても良い。進行方向を少々修正しようとすれば、従来のように体の重心を調整することによっても良いが、片足で前記制御ユニットを作動させ、一時的に前記第３及び第４のローラーの一方だけを回転させ、進行方向を変えることによっても良い。左または右へ急に曲がろうとしたら、先ず片足で前記制御ユニットを作動させることにより、前記のように前記第３及び第４のローラーの一方だけを回転させると同時に、重心を後方に移し、前記第２のローラーを着地させてスケートボードの前端部を上げ、その瞬間、体や足の捻じれ力によって前記第２のローラーを中心としてスケートボード全体の方向を急に変化させることができる。
【０００８】
この構成によるスケートボードは、動力が付与されているので、片足で地面をける必要がなく、両足でスケートボードに乗ったまま、前記制御ユニットを作動することによりスケートボードを移動させたり左または右へ曲がったりすることができる。したがって、足や腰への負担が小さく、長時間に使用することができる。
【０００９】
また、左または右へ急に曲がる時、前記第２のローラー、前記第３のローラー及び前記第４のローラーの三点で着地するので、従来の二点着地より重心が取り易くて転倒してしまう可能性が大幅に低減されることができる。
【００１０】
【発明の実施の形態】
以下、本発明の動力付きスケートボードの好ましい実施形態を詳しく説明する。図１は、該実施形態の側面図であり、図２は、該実施形態の上面図である。図１及び図２に示すように、このスケートボード１０は、主として、長尺状のボード本体２０と、ローラーユニット３０と、動力ユニット４０と、制御ユニット６０とからなっている。更に詳しく説明すると、長尺状のボード本体２０は、上下２面２１，２２を有する。
【００１１】
ローラーユニット３０は、ボード本体２０の下面２２の前端部２３のほぼ中央に回転自在に軸支されている第１のローラー３１と、直径が第１のローラー３１の直径より小であってボード本体２０の下面２２の後端部２４のほぼ中央に回転自在に軸支されている第２のローラー３２と、直径が第１のローラー３１の直径とほぼ同じであって左右に対を成して第１のローラー３１と第２のローラー３２との間に回転自在に軸支されている第３及び第４のローラー３３，３４とを備えてなる。本実施形態において、第１のローラー３１、第３のローラー３３及び第４のローラー３４のいずれも、ボード本体３０の長尺方向の左右へ回動できないように軸支されており、第２のローラー３２は、ボード本体２０の長尺方向の左右へも制限なく回動可能に軸支されている回転部材３２１を介してボード本体２０の下面２２に軸支されている。
【００１２】
動力ユニット４０は、ボード本体２０の下面２２に設けられていて、第３及び第４のローラー３３，３４の回転を駆動するためのものである。本実施形態において、動力ユニット４０は、一対の直流モーター４１，４２と、一対の直流モーター４１，４２の動力をそれぞれ第３及び第４のローラー３３，３４のいずれかに伝える伝動装置５０と、一対の直流モーター４１，４２に電力を供給するバッテリー４３とからなっている。伝動装置５０は、それぞれ各直流モーター４１，４２の回転軸４１１，４２１に固定されている一対の第１のギア５１，５２と、それぞれ第３及び第４のローラー３３，３４中の一つに固定されて一対の第１のギア５１，５２と噛み合っている一対の第２のギア５３，５４とからなっている。
【００１３】
制御ユニット６０は、ボード本体２０の上面２１の前端部２３の一側に設けられて動力ユニット４０と電気的に接続しており、作動されると、動力ユニット４０を介して第３及び第４のローラー３３，３４の少なくとも一つを回転させることができる。詳細に説明すると、制御ユニット６０は、一対のモーター４１，４２とバッテリー４３との間と電気的に接続されており、作動されると、バッテリー４３を一対のモーター４１，４２の少なくとも一つへ電力を供給させて当該モーターを始動し、第３及び第４のローラー３３，３４の当該始動されたモーターと対応するローラーを駆動して回転させることができるように構成されている。本実施形態において、制御ユニット６０は、図２に示すように、作動されると、第３及び第４のローラー３３，３４を同時に回転させる第１のスイッチ６１と、作動されると、第３のローラー３３のみを回転させる第２のスイッチ６２と、作動されると、第４のローラー３４のみを回転させる第３のスイッチ６３とからなっている。また、ここでいうスイッチとは、押圧によりスイッチをオフ状態からオン状態に変換させてから押圧をリリースしてもそのままオン状態に保つスイッチを使用してもよく、押圧をリリースしたら直ちにオフ状態に戻るスイッチを使用してもよいが、本実施形態においては、後者であるばかりでなく、押圧時間につれてローラーの回転速度が速くなるスイッチを使用している。
【００１４】
そして、図１及び図２に示すように、ボード本体２０の上面２１の第１のローラー３１と第３及び第４のローラー３３，３４との間に、動力ユニット４０と電気的に接続していて、第３及び第４のローラー３３，３４の回転方向を反転させる反転スイッチ７０が更に設けられている。
【００１５】
それにより、スケートボード１０をまっすぐ移動させようとする場合、従来のように片足でボード２０上に乗り、他の足で地面１００をけって走らせることはもちろん、図３及び図４に示すように、両足がほぼ第１のローラー３１及び第３と第４のローラー３３，３４のあるところのボード２０上にそれぞれに置く姿勢で、ボード２０の進行具合をみて片足で制御ユニット６０の第１のスイッチ６１を作動させ、第３及び第４のローラー３３，３４を同時に回転させることによって走らせても良い。
【００１６】
進行方向を少々修正しようとすれば、従来のように体の重心を調整することによっても良いが、片足で制御ユニット６０の第１のスイッチ６１または第２のスイッチ６２を作動させ、一時的に第３及び第４のローラー３３，３４の一方だけを回転させ、進行方向を変えることによっても良い。
【００１７】
左へ急に曲がろうとしたら、図５及び図６に示すように、先ず片足で制御ユニット６０の第２のスイッチ６２を踏んで作動させることにより、第３のローラー３３だけを回転させると同時に、他の足を第３及び第４のローラー３３，３４と第２のローラー３２との間に移動して体の重心を後方に移し、第２のローラー３２を着地させてボード本体２０の前端部２３を上げ、その瞬間、体や足の捻じれ力によって第２のローラー３２を中心としてスケートボード１０全体の方向を急に変化させることができる。
【００１８】
右へ急に曲がろうとしたら、図７及び図８に示すように、先ず片足で制御ユニット６０の第３のスイッチ６３を踏んで作動させることにより、第４のローラー３４だけを回転させると同時に、他の足を第３及び第４のローラー３３，３４と第２のローラー３２との間に移動して体の重心を後方に移し、第２のローラー３２を着地させてボード本体２０の前端部２３を上げ、その瞬間、体や足の捻じれ力によって第２のローラー３２を中心としてスケートボード１０全体の方向を急に変化させることができる。
【００１９】
前記実施形態において、第１のローラー３１は、一つのローラーからなっているが、左右に対を成す一対のローラーを使用してもよい。
【００２０】
【発明の効果】
本発明のスケートボードは、動力が付与されているので、片足で地面をける必要がなく、両足でスケートボードに乗ったまま、前記制御ユニットを作動することによりスケートボードを移動させたり左または右へ曲がったりすることができる。したがって、足や腰への負担が少なく、長時間に使用することができる。また、左または右へ急に曲がる時、前記第２のローラー、前記第３のローラー及び前記第４のローラーの三点で着地するので、従来の二点着地より重心が取り易くて転倒してしまう可能性が大幅に低減される。
【００２１】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【図１】本発明の動力付きスケートボードの好ましい実施形態の側面図である。
【図２】前記実施形態の上面図である。
【図３】前記実施形態のスケートボードをまっすぐ移動させる時の一例の説明図である。
【図４】図３の上面図である。
【図５】前記実施形態のスケートボードを左へ急に曲がる時の一例の説明図である。
【図６】図５の上面図である。
【図７】前記実施形態のスケートボードを右へ急に曲がる時の一例の説明図である。
【図８】図７の上面図である。
【符号の説明】
１００・・・地面
１０・・・スケートボード
２０・・・ボード本体
２１・・・上面
２２・・・下面
２３・・・前端部
２４・・・後端部
３０・・・ローラーユニット
３１・・・第１のローラー
３２・・・第２のローラー
３３・・・第３のローラー
３４・・・第４のローラー
４０・・・動力ユニット
４１，４２・・・モーター
４３・・・バッテリー
５０．．．伝動装置
５１，５２・・・第１のギア
５３，５４・・・第２のギア
６０・・・制御ユニット
６１・・・第１のスイッチ
６２・・・第２のスイッチ
６３・・・第３のスイッチ
７０・・・反転スイッチ
【図１】
2005013357.tif 000003
【図２】
2005013357.tif 000004
【図３】
2005013357.tif 000005
【図４】
2005013357.tif 000006
【図５】
2005013357.tif 000007
【図６】
2005013357.tif 000008
【図７】
2005013357.tif 000009
【図８】
2005013357.tif 000010